(57)【要約】【課題】  本発明は使用時に組み立てることができ、コンパクトに運搬、保管することができるとともに、それを組み立てることによって本格的な棺になり飼い主の心情を納得させることができる犬や猫等の棺を得るにある。【解決手段】使用時に組み立てることができる、犬や猫等の亡骸を載置することができる床部を有する棺本体と、この棺本体に前記床部を着脱可能あるいは固定的に取付けることができるように設けられた固着具と、前記棺本体の下部に設けられた複数本の脚部と、前記棺本体の開口部を着脱可能に覆うことができる蓋とで犬や猫等の棺を構成している。【選択図】  図１
2006026053.tif 000002
【特許請求の範囲】
【請求項１】
使用時に組み立てることができる、犬や猫等のペット全般や動物園の飼育動物等の亡骸を載置することができる床部を有する棺本体と、この棺本体に前記床部を着脱可能あるいは固定的に取付けることができるように設けられた固着具と、前記棺本体の下部に設けられた少なくとも１個の脚部と、前記棺本体の開口部を着脱可能に覆うことができる蓋とからなることを特徴とする犬や猫等の棺。
【請求項２】
使用時に組み立てることができる、犬や猫等のペット全般や動物園の飼育動物等の亡骸を載置することができる床部を有する棺本体と、この棺本体に前記床部を着脱可能あるいは固定的に取付けることができるように設けられた固着具と、前記棺本体の下部に設けられた複数本の脚部と、前記棺本体の開口部を覆うことができる蓋本体、この蓋本体に設けられた犬や猫等のペット全般や動物園の飼育動物等の亡骸をみることができる窓部とからなる蓋とからなることを特徴とする犬や猫等の棺。
【請求項３】
使用時に組み立てることができる、犬や猫等の亡骸を載置することができる床部を有する棺本体と、この棺本体に前記床部を着脱可能あるいは固定的に取付けることができるように設けられた固着具と、前記棺本体の下部に設けられた複数本の脚部と、前記棺本体の内側部位に着脱可能に取り付けることができる装飾部と、前記棺本体の開口部を覆うことができる蓋本体、この蓋本体に設けられた犬や猫等の亡骸をみることができる窓部とからなる蓋とからなることを特徴とする犬や猫等の棺。
【請求項４】
前記棺本体および蓋は、六角形状に形成されていることを特徴とする請求項１、２、３のいずれかに記載の犬や猫等の棺。
【請求項５】
使用時に組み立てることができる、犬や猫等のペット全般や動物園の飼育動物等の亡骸を載置することができる床部を有する棺本体と、この棺本体に取り付けることができる上板の下方部位に少なくとも１個の脚部を設けた脚と、前記棺本体の開口部を着脱可能に覆うことができる蓋とからなることを特徴とする犬や猫等の棺。
【発明の詳細な説明】
【技術分野】
【０００１】
本発明は、犬や猫等のペット全般や動物園の飼育動物等を埋葬、火葬等をする時に使用する棺に関する。
【背景技術】
【０００２】
従来、家庭で飼育していた犬や猫等のペットや動物園の飼育動物等が死亡した場合、ペット用の棺桶がないため、死骸のまま保健所やペットの葬祭業者に引き渡して埋葬若しくは火葬するか、使用済みの段ボール箱に入れて埋葬若しくは火葬していた。
【０００３】
したがって、従来の犬や猫のペットや動物園の飼育動物等の埋葬や火葬するとき、死骸のまま葬祭業者等に引き渡すのでは不潔で、段ボール箱や木箱に入れて引き渡すのでは余りにも哀れであり、飼い主の心が傷むという欠点があった。
また、装飾された、きれいな段ボール箱に入れても、荷物を詰めるような感じになり、十分な満足感が得られないという欠点があった。
【特許文献１】特になし
【発明の開示】
【発明が解決しようとする課題】
【０００４】
本発明は以上のような従来の欠点に鑑み、使用時に組み立てることができ、コンパクトに運搬、保管することができるとともに、それを組み立てることによって本格的な棺になり飼い主の心情を納得させることができる犬や猫等の棺を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は、使用時に組み立てることができる、犬や猫等の亡骸を載置することができる床部を有する棺本体と、この棺本体に前記床部を着脱可能あるいは固定的に取付けることができるように設けられた固着具と、前記棺本体の下部に設けられた複数本の脚部と、前記棺本体の開口部を着脱可能に覆うことができる蓋とで犬や猫等の棺を構成している。
【発明の効果】
【０００７】
以下の説明から明らかなように、本発明にあっては次に列挙する効果が得られる。
【０００８】
（１）使用時に組み立てることができる、犬や猫等の亡骸を載置することができる床部を有する棺本体と、この棺本体に前記床部を着脱可能あるいは固定的に取付けることができるように設けられた固着具と、前記棺本体の下部に設けられた複数本の脚部と、前記棺本体の開口部を着脱可能に覆うことができる蓋とで構成されているので、不使用時には折り畳んで保管することができ、使用時に組み立てて使用することができるので、コンパクトな状態で運搬や保管をすることができる。
【０００９】
（２）前記（１）によって、組み立てることによって本格的な棺になるので、犬や猫のペットや動物園の飼育動物等を丁重に葬りたいと考える飼い主の心情を充分に納得させることができるとともに、心を癒すことができる。
【００１０】
（３）前記（１）によって、部品点数が少ないので、誰もが容易に組み立てて使用することができる。
【００１１】
（４）前記（１）によって、構造が簡単なので、容易に使用することができるとともに、利用価値の高い状態で取り扱いすることができる。
【００１２】
（５）請求項２も前記（１）〜（４）と同様の効果が得られる。
【００１３】
（６）請求項３も前記（１）〜（４）と同様の効果が得られるとともに、高級感のある状態に容易に加工することができる。
【００１４】
（７）請求項４も前記（１）〜（４）および（６）と同様の効果が得られる。
【発明を実施するための最良の形態】
【００１５】
以下、図面に示す実施するための最良の形態により、本発明を詳細に説明する。
【実施例１】
【００１６】
図１ないし図９に示す本発明の最良の第１の形態において、１は本発明の犬や猫のペット全般や動物園の飼育動物等に用いる棺で、この犬や猫等の棺１は、犬や猫等の亡骸２を載置することができる床部３が着脱可能に取り付けられる段ボールや厚紙等の紙材製あるいは軟質合成樹脂材等で成形された、使用時に組み立てることができる六角形状の棺本体４と、この棺本体４に前記床部３を着脱可能に取付けることができるように設けられた固着具５と、前記棺本体４の下部に設けられた複数本、本実施例では前記棺本体４の角部に形成された６本の脚部６、６、６、６、６、６と、前記棺本体４と同様の材質で成形された前記棺本体４の開口部Ｘを覆うことができる縁部７を有する六角形状の蓋本体８、この蓋本体８の犬や猫等の亡骸２を見ることができる部位に形成された四角形状の窓部９とからなる蓋１０とで構成されている。
【００１７】
前記棺本体４の床部３は、段ボールや厚紙、自然にやさしい素材等の紙材製あるいは軟質合成樹脂材等で成形された六角形状の床部本体１１と、この床部本体１１の外周部位に折り曲げ可能に設けられた複数個、本実施例では６個の取付け片１２、１２、１２、１２、１２、１２とで構成されている。
【００１８】
前記固着具５は、前記取付け片１２の外側部位に接着固定された、前記棺本体４の内側面に着脱可能に取付けることができる両面テープや面ファスナーフック等の複数個、本実施例では１４個の第１の固着具１３、１３、１３、１３、１３、１３、１３、１３、１３、１３、１３、１３、１３、１３と、この第１の固着具１３に対応する、前記取付け片１２の固着具５を取付けることができる前記棺本体４の内側面部位に接着固定された、両面テープや面ファスナー等の１４個の第２の固着具１４、１４、１４、１４、１４、１４、１４、１４、１４、１４、１４、１４、１４、１４とで構成されている。
【００１９】
前記窓部９には、透明あるいは半透明の樹脂プレートが嵌められており、写真等を差し込めるように加工されていてもよい。また、プレートもなく開口していてもよく、扉が付いていてもよい。
【００２０】
上記構成の犬や猫等の棺１は、図７に示すように、折り畳んで同梱し、その状態で運搬や保管等をする。
使用時には、図８および図９に示すように、例えば最終ユーザーとなる飼い主や飼育員等が、本発明の犬や猫等の棺１の梱包を解き、梱包物である犬や猫等の棺１の各パーツを取り出した後、棺本体４をほぼ六角形状に展開し、取付け片１２を内側方向に折り曲げた状態の床部３を、展開された棺本体４の内部に挿入する。その時、挿入した床部３の第１の固着具１３と対応する、棺本体４の第２の固着具１４に貼付け固着する。さらに組立てられた棺本体４の開口部Ｘを覆うように蓋１０を被せることによって組み立てることができる。
なお、床部の上にフトンやクッション等を敷設してもよい。
【００２１】
したがって、不使用時には場所を取らずに小さなスペースに折り畳んで保管することができとともに、使用時に容易に組み立てて使用することができるとともに、組み立てることによって本格的な棺１になるので、犬や猫のペットや動物園の飼育動物等を丁重に葬ることができ、飼い主等の心情を充分に納得させ、心を癒すことができる。
【００２２】
なお、本実施例では６本の前記脚部を用いるものについて説明したが、本発明はこれに限らず、前記棺を設置した時に、安定した組立て状態を維持することができれば、４本、８本、１０本等の脚部を形成して用いてもよい。
また、前記蓋の窓部は四角形状に形成されたものについて説明したが、本発明はこれに限らず、丸形状、楕円形状、星型形状、犬や猫等の形状等に形成してもよい。
さらに、棺本体４、床部３、脚部６、蓋１０は、段ボールや厚紙等の紙材製あるいは軟質合成樹脂材等で成形されており、加重されることを踏まえて、例えば段ボール重ね合わせたり、強度の強い紙材を使用したり、パーツによって材質や材料を変更してもよい。
{発明を実施するための異なる形態}
【００２３】
次に、図１０ないし図２９に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【実施例２】
【００２４】
図１０および図１１に示す本発明を実施するための第２の形態において、前記本発明を実施するための最良の第１の形態と主に異なる点は、前記棺本体４の内側部位に取り付けられた第３の固着具１５に取り付ける第４の固着具１６が取り付けられ、該棺本体４に着脱可能に取り付けることができる、花形状や愛おしさ等を感じさせる形状や色を有するレースや布地で形成された装飾部１７を用いた点で、このように構成された犬や猫等の棺１Ａにしても前記本発明を実施するための最良の第１の形態と同様な作用効果が得られる。
【実施例３】
【００２５】
図１２に示す本発明を実施するための第３の形態において、前記本発明を実施するための第２の形態と主に異なる点は、前記窓部９のない蓋本体８Ａを用いた点で、このように構成された蓋１０Ａを用いた犬や猫等の棺１Ｂにしても、前記本発明を実施するための第２の形態と同様な作用効果が得られる。
なお、前記蓋本体８Ａの上面には、犬や猫等を偲んだ写真を貼ったり、絵を描写したりしてもよい。
【実施例４】
【００２６】
図１３および図１４に示す本発明を実施するための第４の形態において、前記本発明を実施するための最良の第１の形態と主に異なる点は、前記棺本体４の下面の外周部位に設けられた、枠形状に形成された脚部６Ａを用いた点で、このように構成した犬や猫等の棺１Ｃにすることにより、前記本発明を実施するための最良の第１の形態と同様な作用効果が得られる。
【実施例５】
【００２７】
図１５ないし図１７に示す本発明を実施するための第５の形態において、前記本発明を実施するための最良の第１の形態と主に異なる点は、前記床部３の下面に、中型や大型の犬や猫等を載置しても加重を支えることができるように取り付けるＸ字状の支持片１８を用いた点で、このように構成した棺本体４Ａを用いた犬や猫等の棺１Ｄにすることにより、前記本発明を実施するための最良の第１の形態と同様な作用効果が得られるとともに、大型の動物等にも対応して使用することができる。
なお、前記支持片１８の形状は、Ｘ字状に限定することなく、加重を支えることがえきるのであれば、四角形状、丸形状、三角形状、複数本のバー形状等の該支持片１８を取り付けて使用することができる。
【実施例６】
【００２８】
図１８ないし図２２に示す本発明を実施するための第６の形態において、前記本発明を実施するための第１の形態と主に異なる点は、前記蓋本体８Ｂの一辺を前記棺本体４の対応する一辺部位に取付けられた蓋１０Ｂを用いた点で、このように構成した犬や猫等の棺１Ｅにすることにより、前記本発明を実施するための最良の第１の形態と同様な作用効果が得られるとともに、前記蓋１０Ｂは、棺本体４の一辺に連続的に取り付けられているので、容易に前記開口部Ｘを覆うように開閉することができる。
【実施例７】
【００２９】
図２３ないし図２５に示す本発明を実施するための第７の形態において、前記本発明を実施するための第６の形態と主に異なる点は、前記棺本体４の外周部に複数個、本実施例では６個の蓋取付け片１９、１９、１９、１９、１９、１９が折り曲げ可能に設けられ、この蓋取付け片１９の上面部位と前記蓋本体８Ｃの該蓋取り付け片と接触する蓋本体部位に複数個の、本実施例では１４個の第５の固定具２０、２０、２０、２０、２０、２０、２０、２０、２０、２０、２０、２０、２０、２０と、１４個の第６の固定具２１、２１、２１、２１、２１、２１、２１、２１、２１、２１、２１、２１、２１、２１とからなる固定具２２を設けた点で、このように構成した棺本体４Ｂおよび蓋１０Ｃを用いた犬や猫等の棺１Ｆにすることにより、前記本発明を実施するための第６の形態と同様な作用効果が得られる。
【実施例８】
【００３０】
図２６および図２７に示す本発明を実施するための第８の形態において、前記本発明を実施するための最良の第１の形態と主に異なる点は、前記棺本体４、床部３、脚部６、蓋１０等の各パーツが、生分解性の合成樹脂材製で成形されている点で、このように構成された犬や猫等の棺１Ｇにしても前記本発明を実施するための最良の第１の形態と同様な作用効果が得られるとともに、例えば犬や猫などのペットの亡骸を収納して土壌中に埋葬しても、前記棺１Ｇは土壌中の微生物などによる生分解を受けるので、亡骸とともに徐々に分解消失することができる。
【実施例９】
【００３１】
図２８および図２９に示す本発明を実施するための第９の形態において、前記本発明を実施するための最良の第１の形態と主に異なる点は、犬や猫等の亡骸２を載置することができる床部３Ａが設けられた段ボールや厚紙等の紙材製あるいは軟質合成樹脂材等で成形された六角形状の棺本体４Ｃと、この棺本体４Ｃに接着固定することができる上板２３が設けられ、外周部に６本の脚部６、６、６、６、６、６が設けられた脚２４とを用いた点で、このように構成された犬や猫等の棺１Ｈにしても前記本発明を実施するための最良の第１の形態と同様な作用効果が得られるとともに、前記床部３Ａと上板２３とが重なり状態で固定されるので、大型の動物等にも対応して使用することができる。
なお、本実施例では、棺本体４Ｃと脚２４は固定的に取り付けるものを説明したが、本発明ではこれに限らず、着脱可能に取付けることができる両面テープや面ファスナー等の固着具を用いてもよい。
【００３２】
なお、前記本発明の異なる実施の形態では主に第１の実施の形態を基にして説明したが、本発明はこれに限らず、各実施の形態に使用された構成を組み合わせて使用しても同様な作用効果が得られる。
また、各実施例の犬や猫等の棺は、犬や猫等のペットや動物園の飼育動物等の大きさや体重に合わせて、様々なサイズや重さのものを作成することができる。
【産業上の利用可能性】
【００３３】
本発明は犬や猫等の棺は、犬や猫等のペットや動物園の飼育動物等の棺を使用、製造する産業、一般家庭、保健所等の公共機関等で利用される。
【図面の簡単な説明】
【００３４】
【図１】本発明を実施するための最良の第１の形態の正面図。
【図２】本発明を実施するための最良の第１の形態の側面図。
【図３】本発明を実施するための最良の第１の形態の平面図。
【図４】本発明を実施するための最良の第１の形態の底面図。
【図５】本発明を実施するための最良の第１の形態の図３の５−５線に沿う断面図。
【図６】本発明を実施するための最良の第１の形態の分解斜視図。
【図７】本発明を実施するための最良の第１の形態の折り畳んだ状態の説明図。
【図８】本発明を実施するための最良の第１の形態の組立て状態の説明図。
【図９】本発明を実施するための最良の第１の形態の使用状態の説明図。
【図１０】本発明を実施するための第２の形態の使用状態の説明図。
【図１１】本発明を実施するための第２の形態の分解斜視図。
【図１２】本発明を実施するための第３の形態の使用状態の説明図。
【図１３】本発明を実施するための第４の形態の斜視図。
【図１４】本発明を実施するための第４の形態の図１３の１４−１４線に沿う断面図。
【図１５】本発明を実施するための第５の形態の斜視図。
【図１６】本発明を実施するための第５の形態の床部の説明図。
【図１７】本発明を実施するための第５の形態の分解斜視図。
【図１８】本発明を実施するための第６の形態の正面図。
【図１９】本発明を実施するための第６の形態の側面図。
【図２０】本発明を実施するための第６の形態の平面図。
【図２１】本発明を実施するための第６の形態の図２０の２１−２１線に沿う断面図。
【図２２】本発明を実施するための第６の形態の蓋の開閉状態を示す説明図。
【図２３】本発明を実施するための第７の形態の斜視図。
【図２４】本発明を実施するための第７の形態の折り畳んだ状態の説明図。
【図２５】本発明を実施するための第７の形態の組立て状態の説明図。
【図２６】本発明を実施するための第８の形態の分解斜視図。
【図２７】本発明を実施するための第８の形態の折り畳んだ状態の説明図。
【図２８】本発明を実施するための第９の形態の斜視図。
【図２９】本発明を実施するための第９の形態の図２８の２９−２９線に沿う断面図。
【符号の説明】
【００３５】
１、１Ａ〜１Ｈ：犬や猫等の棺、      ２：亡骸、
３、３Ａ：床部、                    ４、４Ａ〜４Ｃ：棺本体、
５：固着具、                        ６、６Ａ：複数本の脚部、
７：縁部、                          ８、８Ａ〜８Ｃ：蓋本体、
９：窓部、                          １０、１０Ａ〜１０Ｃ：蓋、
１１：床部本体、                    １２：複数個の取付け片、
１３：第１の固着具、                １４：第２の固着具、
１５：第３の固着具、                １６：第４の固着具、
１７：装飾部、                      １８：支持片、
１９：蓋取付け片、                  ２０：第５の固定具、
２１：第６の固定具、                ２２：固定具、
２３：上板、                        ２４：脚、
Ｘ：開口部。
【図１】
2006026053.tif 000003
【図２】
2006026053.tif 000004
【図３】
2006026053.tif 000005
【図４】
2006026053.tif 000006
【図５】
2006026053.tif 000007
【図６】
2006026053.tif 000008
【図７】
2006026053.tif 000009
【図８】
2006026053.tif 000010
【図９】
2006026053.tif 000011
【図１０】
2006026053.tif 000012
【図１１】
2006026053.tif 000013
【図１２】
2006026053.tif 000014
【図１３】
2006026053.tif 000015
【図１４】
2006026053.tif 000016
【図１５】
2006026053.tif 000017
【図１６】
2006026053.tif 000018
【図１７】
2006026053.tif 000019
【図１８】
2006026053.tif 000020
【図１９】
2006026053.tif 000021
【図２０】
2006026053.tif 000022
【図２１】
2006026053.tif 000023
【図２２】
2006026053.tif 000024
【図２３】
2006026053.tif 000025
【図２４】
2006026053.tif 000026
【図２５】
2006026053.tif 000027
【図２６】
2006026053.tif 000028
【図２７】
2006026053.tif 000029
【図２８】
2006026053.tif 000030
【図２９】
2006026053.tif 000031